(57)【特許請求の範囲】
【請求項１】
天井に装着される空調機本体と、パネルカバーと、このパネルカバーを空調機本体の下部をカバーする仮止め位置に保持する手段とを備えた空調機において、
空調機本体とパネルカバーの一方には、第１回転軸とそれに平行して伸びる第２回転軸と両者をつなぐ中間部を持つヒンジ部材が、第１回転軸の回りに回転可能で、軸方向には移動不能に取り付けられ、
空調機本体とパネルカバーの他方には、第２回転軸を受け入れる軸穴と、前記中間部に当接して前記ヒンジ部材の軸方向移動を禁止する抜け止め部材が設けられており、その抜け止め部材には、前記ヒンジ部材が第２回転軸の周りに回転して特定回転位置におかれたときに軸方向移動を許容する切り欠き部が形成されており、
保持手段は、空調機本体にネジ込まれるスクリュウと、パネルカバーに形成された仮止め溝で構成され、その仮止め溝は、前記ヒンジ部材の回転を利用して前記スクリュウの頭がパネルカバーの下方から係合可能な形状に形成されていることを特徴とする空調機。
【請求項２】
前記スクリュウを増し締めすることで前記パネルカバーが前記空調機本体の下部をカバーする位置に固定されることを特徴とする請求項１に記載の空調機。
【発明の詳細な説明】
【０００１】
【発明の属する技術分野】
本発明は、天井取り付け式の空調機に関するものである。特に、空調機の下部を覆う（カバーする）パネルカバーを取り付ける技術に関するものである。
【０００２】
【従来の技術】
従来の天井取り付け式の空調機の一例を、図１９を参照して説明する。図１９は、天井に取り付けられた空調機本体と、空調機本体から取り外されているパネルカバーを下方から見た斜視図である。
空調機１１０の空調機本体１１２は、天井１１４に開口された方形の開口部に、下方側から上方に向けて差し込まれ、スクリュウ（図示していない）によって天井に装着される。空調機本体１１２が天井１１４に装着されると、図１９に示されているように、空調機本体の下部に形成されているフランジ１１６が天井１１４の下面とほぼ同一面に配置される。フランジ１１６には４箇所のスクリュウ穴１２２が形成されている。パネルカバー１１８には、フランジ１１６のスクリュウ穴１２２に対応する位置に、上下方向に貫通する取付穴１２４が形成されている。この取付穴１２４を介してスクリュウ１２６をフランジ１１６のスクリュウ穴１２２にネジ込むことにより、パネルカバー１１８は空調機本体１１２に固定される。このようにして、空調機本体１１２に取り付けられたパネルカバー１１８は、空調機本体１１２の下部をカバーし、天井１１４の下面に張り付くように配置される。
【０００３】
次に、使用者が、パネルカバー１１８を天井１１４に取り付ける具体的な作業手順について説明する。使用者が、パネルカバー１１８を天井１１４に取り付ける際には、まず、パネルカバー１１８を持ち上げて、下方からフランジ１１６に押し当てつつ、フランジ１１６のスクリュウ穴１２２とパネルカバー１１８の取付穴１２４が合致する位置を調整する（探す）。スクリュウ穴１２２と取付穴１２４が合致する位置が見つかると、この位置に一方の手でパネルカバー１１８を保持する。続いて、パネルカバー１１８の取付穴１２４を介して、他方の手を用いて、フランジ１１６のスクリュウ穴１２２にスクリュウ１２６差し込む。さらに、一方の手でパネルカバー１１８を保持しつつ、他方の手でドライバーを回し、スクリュウ１２６をネジ込む。以上の作業手順で、パネルカバー１１８は、空調機本体１１２に固定され、空調機本体１１２の下部をカバーする。
【０００４】
【発明が解決しようとする課題】
しかしながら、上述した作業手順による空調機本体１１２へのパネルカバー１１８の取り付けは、使用者がフランジ１１６のスクリュウ穴１２２とパネルカバー１１８の取付穴１２４が合致する位置を探さなければならず、面倒である。また、スクリュウ穴１２２と取付穴１２４が合致する位置を見つけた後も、一方の手でパネルカバー１１８を保持しつつ、他方の手でドライバを回してスクリュウ１２６をネジ込まなければならず、この作業も面倒で、使用者に負担を強いていた。
特に、最近の空調機の高機能化に伴い、パネルカバー１１８の構成部材（風向設定のためのルーバーの駆動装置、操作リモコンの受光装置等）の種類と重量は増えてきており、パネルカバー１１８の重量は増大する傾向にある。パネルカバー１１８の重量が増大すると、上述した、パネルカバー１１８を空調機本体１１２に取り付ける際に、パネルカバー１１８を保持しなければならない使用者の負担がますます大きくなってしまい、この点からも改善が大いに求められていた。
【０００５】
本発明は、かかる問題を解決するためになされたもので、パネルカバーの取り付けが容易な空調機を提供することを課題とする。
【０００６】
【課題を解決するための手段および作用と効果】
請求項１に記載の空調機は、天井に装着される空調機本体と、パネルカバーと、このパネルカバーを空調機本体の下部をカバーする仮止め位置に保持する手段とを備えており、空調機本体とパネルカバーの一方には、第１回転軸とそれに平行して伸びる第２回転軸と両者をつなぐ中間部を持つヒンジ部材が、第１回転軸の回りに回転可能で、軸方向には移動不能に取り付けられ、空調機本体とパネルカバーの他方には、第２回転軸を受け入れる軸穴と、前記中間部に当接して前記ヒンジ部材の軸方向移動を禁止する抜け止め部材が設けられており、その抜け止め部材には、前記ヒンジ部材が第２回転軸の周りに回転して特定回転位置におかれたときに軸方向移動を許容する切り欠き部が形成されており、保持手段は、空調機本体にネジ込まれるスクリュウと、パネルカバーに形成された仮止め溝で構成され、その仮止め溝は、前記ヒンジ部材の回転を利用して前記スクリュウの頭がパネルカバーの下方から係合可能な形状に形成されていることを特徴としている。
【０００７】
上記空調機によると、ヒンジ部材を第２回転軸の周りに回転させて特定回転位置におくことでヒンジ部材を軸穴から抜くことが可能であり、これによって、空調機本体とパネルカバーを脱着することができる。一方、特定回転位置におくことで、空調機本体とパネルカバーのヒンジ部材の軸方向の相対的位置を一定に維持することができる。
即ち、空調機本体とパネルカバーをヒンジ部材の軸方向に相対移動させて両者を脱着することができる一方、空調機本体とパネルカバーがヒンジ部材で連結された状態では、両者の軸方向位置関係を一定に維持できる。
このために、両者をヒンジ部材を中心にして回転させると、空調機本体に対して正しい位置にパネルカバーを閉じることができ、使用者は、パネルカバーを空調機本体の下部に押し当てながら、両者の位置関係を調整する必要がなくなる。
本発明の構成によると、空調機本体とパネルカバーを分離できる一方、一旦連結すると、本来的なヒンジ作用が得られ、保持手段を用いてパネルカバーを仮止め位置に保持することができる。
従って、本発明の構成によれば、パネルカバーの取り付けが容易な空調機を得ることができる。
【０００８】
請求項１に記載の空調機において、前記スクリュウを増し締めすることで前記パネルカバーが前記空調機本体の下部をカバーする位置に固定されることが好ましい。
上記の空調機によれば、スクリュウを増し締めすることで、パネルカバーが空調機本体の下部をカバーする位置に固定される。
【０００９】
【発明の実施の形態】
上述した請求項１、請求項２に記載の空調機は、下記に示す形態で好適に実施することができる。
（形態１）  請求項１又は請求項２に記載の空調機においては、ヒンジ部材は第１回転軸とそれに平行して伸びる第２回転軸と両者をつなぐ中間部から形成されており、前記第１回転軸はパネルカバーに回転可能に連結され、空調機本体には、第２回転軸を受け入れる軸穴と、前記中間部に当接して前記ヒンジ部材の軸方向移動を禁止する抜け止め部材が設けられており、前記抜け止め部材には、前記ヒンジ部材が第２回転軸の周りに回転して特定回転位置におかれたときに軸方向移動を許容する切り欠き部が形成されていることが好ましい。
この形態によると、パネルカバーと空調機本体との連結は、ヒンジ部材を第２回転軸の周りに回転させて特定回転位置におくことでヒンジ部材を軸穴から抜くことで解除可能である。パネルカバーと空調機本体を連結させ、ヒンジ部材を第２回転軸周りに回転させると、ヒンジ部材の軸方向の移動は、抜け止め部材で禁止される。パネルカバーをヒンジ部材周りに回転させると、パネルカバーは空調機本体に対して正しい位置に閉じられる。
【００１０】
（形態２）  請求項１又は請求項２に記載の空調機においては、パネルカバーの保持手段として、空調機本体の下部に形成された垂直方向の軸を有する少なくとも一つのスクリュウ穴と、前記スクリュウ穴に上方に向かってネジ込まれるパネルカバーの固定手段であるスクリュウと、前記スクリュウの軸よりも幅が広く、前記スクリュウのスクリュウ頭よりも幅が狭く、前記パネルカバーの揺動方向に平行に前記パネルカバーに形成された溝であって、途中までネジ込まれた前記スクリュウのスクリュウ頭と係合する仮止め溝とを有していることが好ましい。
この形態によると、パネルカバーを空調機本体に取り付ける際に、使用者は、パネルカバーをヒンジ部材回りに回転させて空調機本体の下面まで持ち上げる。この状態では、パネルカバーはヒンジ部材の第１の回転軸と第２の回転軸の回転によって天井にほぼ平行に揺動させることができるので、使用者は、パネルカバーに形成されている仮止め溝を前記のスクリュウのスクリュウ頭に滑り込ませながら係合させて、パネルカバーを空調機本体に仮止めする。このままパネルカバーから手を離しても、パネルカバーはその位置に仮止めされているので、使用者はパネルカバーを保持しておく必要がない。最後にスクリュウをネジ込むと、パネルカバーは空調機本体の下部をカバーする位置に固定される。
【００１１】
【実施例】
本発明の空調機の実施例を、空調機の一種である浴室乾燥暖房機を用いて説明する。
まず最初に、浴室乾燥暖房機の全般の構成およびその動作について、図面を参照しながら説明する。
図１は、浴室に載置された浴室乾燥暖房機、およびその周辺装置を示す斜視図である。図２は、天井に装着された浴室乾燥暖房機の側面図である。図３は、図２をＩＩＩ−ＩＩＩ線方向から見た矢視図である。図４は、浴室乾燥暖房機を下方から見た平面図である。
図１に示されているように、浴室乾燥暖房機１０は、浴室１１の天井１５に載置される。浴室１１の内部には、入浴のためのバスタブ１６等が収容されている。浴室１１の天井１５には、方形の開口部１３が形成されている。図２に示されているように、浴室乾燥暖房機本体１２の下部には、ツバ状に形成された、天井１５の開口部１３よりも僅かに大きなフランジ１７が設けられている（図２においては、図の明瞭化のために、浴室乾燥暖房機１０の下面に取り付けられるパネルカバー１８を省略して図示している）。浴室乾燥暖房機１０を天井１５に装着する際には、浴室乾燥暖房機本体１２を天井１５の開口部１３へ下方側から差し込み、フランジ１７を天井１５の下面に当接させ、この取付フランジ１７を結合部材（図示していない）によって天井１５に結合させる。図３に示されているように、浴室乾燥暖房機本体１２を天井１５に装着した後、その下面にパネルカバー１８を取り付けてカバーする（浴室乾燥暖房機本体１２にパネルカバー１８が取り付けられる構成、およびその作業手順については、後述にて詳細に説明する）。
【００１２】
浴室乾燥暖房機１０には、温水が供給される温水供給口３６が設けられており、内部には温風ファンと熱交換器（温風ファンと熱交換器は図示いていない）が内蔵されている。温風ファンは、図４に示されている、パネルカバー１８に開口している吸入口３８を介して、浴室１１内の空気を吸い込み、前記の熱交換器を通過させる。また、温水供給口３６には、図１に示されている供給配管３２を通って給湯器３１から温水が供給され、この温水は前記の熱交換器を流れる。温水が前記の熱交換器を流れることにより、前記の温風ファンによって吸い込まれ、熱交換器を通過した空気は、熱交換作用によって温められる。前記の熱交換器で温められた空気は、パネルカバー１８に形成されている吹出口４２から下方に向かって吹き出され、浴室１１を温める。前記の熱交換器を流れ、熱交換作用で温度が下がった水は、排出配管３３を通って給湯器３１へ戻され、再び温められて浴室乾燥暖房機１０へ送られる。
また、浴室乾燥暖房機１０には、換気ファン（図示していない）も内蔵されており、浴室１１内の空気を換気する場合には、この換気ファンが作動して浴室１１内の空気をパネルカバー１８の吸入口３８から吸い込む。前記の換気ファンによって吸い込まれた浴室１１内の空気は、浴室乾燥暖房機１０に接続されている換気ダクト３７を経由して屋外へ排出される。
パネルカバー１８の吹き出し口４２には、板状の複数のブレードから構成され、ブレードの方向が変化することにより、吹き出す温風の方向を設定するルーバー４４が設けられている。図示していないが、パネルカバー１８の裏側（上面側）には、前記のルーバー４４の駆動装置や操作リモコンの受光装置等が取り付けられている。浴室乾燥暖房機１０の温風ファン、ルーバー４４の駆動装置、およびこれらの制御機器等へは、ブレーカ３９、電気配線３５を経由して電力が供給されている。また、浴室乾燥暖房機１０と給湯器３１の間は信号線３４で結ばれており、この信号線３４で相互の運転状況を電気信号として伝達し、浴室乾燥暖房機１０と給湯器３１の運転を適切に制御している。
【００１３】
本実施例の浴室乾燥暖房機は、パネルカバーがヒンジ部材によって浴室乾燥暖房機本体に連結され、また、パネルカバーを浴室乾燥暖房機本体に仮止めすることができる。以下に、これらの構成と、パネルカバーを浴室乾燥暖房機本体に取り付ける作業手順について、図面を参照しながら説明する。
図５は、パネルカバー１８の側面図である。図６は、パネルカバーの平面図である。図７は、パネルカバーに形成される、仮止め部材の斜視図である。図８、図９は、浴室乾燥暖房機の本体とパネルカバーとの着脱について説明するための図面で、浴室乾燥暖房機本体と、パネルカバーと、ヒンジ部材とを示す斜視図である。図１０は、抜け止め部材を軸と直角方向に破断した断面図である。図１１は、図１０のＸＩ−ＸＩ矢視図である。図１２は、天井に装着された浴室乾燥暖房機本体を下方から見た斜視図である。図１３は、パネルカバーが浴室乾燥暖房機本体から吊り下げられた状態の側面図である。図１４は、図１３の状態に続いて、パネルカバーが持ち上げられ、浴室乾燥暖房機本体の下部に配置された状態を示す側面図である。図１５は、図１４の状態に続いて、パネルカバーが仮止め位置まで移動させられた状態を示す側面図である。図１６は、パネルカバーの仮止め部材が浴室乾燥暖房機本体に仮止めされている状態の細部を示す図である。
【００１４】
図５、図６に示されているように、パネルカバー１８の平面形は方形をなしており、その一端には、ヒンジ部材５２が連結されている（パネルカバー１８の裏側には、上述したように、ルーバー４４の駆動装置や操作リモコンの受光装置等が取り付けられ、かつ、吹き出し口４２や吸入口３８が形成されているが、図面の明瞭化のため、図６においては、これらを省略して図示している）。ヒンジ部材５２は、丸棒を屈曲させることによって製作されており、互いに平行な第１回転軸５２ａと第２回転軸５２ｂが形成されている。第２回転軸５２ｂはヒンジ部材５２の両端に位置しており、第１回転軸５２ａと第の回転軸５２ｂとの間には、ヒンジ中間部５２ｃが形成されている。ヒンジサポート金具５８には軸穴が形成されており、この軸穴にヒンジ部材５２の第１回転軸５２ａが差し込まれる。２個のヒンジサポート金具５８は、スクリュウ５９によってパネルカバー１８に固定されるので、ヒンジ部材５２は、ヒンジサポート金具５８を介してパネルカバー１８に回転可能に連結される。
【００１５】
図６に示されているように、パネルカバー１８には、パネルカバー１８を仮止め位置に保持する、保持手段としての仮止め部材６２が２個形成されている。図７に示されているように、仮止め部材６２は、パネルカバー１８の基盤面６４に垂直に形成される円筒の、円周側面が一部が切り取られた形状をしており、この円筒の一端に仮止め溝６６が形成されている。仮止め溝６６は、ヒンジ部材５２側に開口し、かつヒンジ部材５２の軸に直角な方向に切り込まれた形状に形成されている。仮止め溝６６の幅Ａは、パネルカバー１８を浴室乾燥暖房機本体１２に取り付けるスクリュウ８３（スクリュウ８３については後述する）の軸８３ａの直径よりも広く、スクリュウ頭８３ｂよりも狭く形成されている。このため、スクリュウ８３の軸８３ａを仮止め溝６６に滑り込ませることにより、スクリュウ頭８３ｂを仮止め部材６２と係合させることができる。また、仮止め部材６２の円筒形状の内周面は、パネルカバー１８の基盤面６４にそのまま連続し、基盤面６４に円形の穴６８を開口させている。
また、図１２に示されているように、浴室乾燥暖房機本体１２の下部に形成されているフランジ１７の四隅には、４個のスクリュウ穴１７ａが形成されている。
図６に示されているように、パネルカバー１８には、２個の取付穴６３が形成されており、この取付穴６３と仮止め部材６２を介して、スクリュウ８３をフランジ１７のスクリュウ穴１７ａにネジ込むことにより、パネルカバー１８は浴室乾燥暖房機本体１２に取り付けられる。
【００１６】
図８、図９に示されているように、浴室乾燥暖房機本体１２のフランジ１７の一端には、サポート７２が形成されており、このサポート７２には貫通する軸穴７３が開けられている。また、サポート７２の軸穴７３と同軸上に、ヒンジ部材５２の抜け止めとしての抜け止め部材７６が形成されている。図１０、図１１に示されているように、抜け止め部材７６は、軸穴の周壁の一部７６ａが切り欠かれた形状に形成されている（なお、図８、図９には片側の１個しか図示されていないが、サポート７２と抜け止め部材７６は２個形成されており、これらにヒンジ部材５２の第２回転軸５２ｂが差し込まれる。以下においては、図８、図９に示されているサポートと抜け止め部材を一方、図示されていない反対側に形成されている方を他方と称す）。
【００１７】
続いて、パネルカバー１８を浴室乾燥暖房機本体１２に連結させる作業手順について説明する。
パネルカバー１８を浴室乾燥暖房機本体１２に連結させるには、まず、ヒンジ部材５２の第２回転軸５２ｂを、図８の矢印８６に示されているように、抜け止め部材７６の軸穴の切り欠き部分７６ａを通して押し込み、抜け止め部材７６の軸と第２回転軸５２ｂの軸を一致させる。次にヒンジ部材５２を軸方向（矢印８６の方向）に移動させ、第２回転軸５２ｂをサポート７２の軸穴７３に差し込む。この際、ヒンジ部材５２の第２回転軸５２ｂの回転位置は、ヒンジ部材５２の中間部５２ｃが抜け止め部材７２の切り欠き部分７６ａを通過できる回転位置に維持する。続いて、この回転位置を維持しつつ、ヒンジ部材５２を前記とは逆の軸方向（図８の点線の矢印８７の方向）に移動させ、他方の第２回転軸５２ｂを他方のサポート７２の軸穴７３に差し込む。以上で、ヒンジ部材５２の両端の第２回転軸５２ｂは、２箇所のサポート７２の軸穴７３に差し込まれる。さらに、図９に矢印８９で示されているように、ヒンジ部材５２を第２回転軸５２ｂを中心として回転させる。この状態では、ヒンジ部材５２を軸方向に移動させようとしても、ヒンジ部材５２の中間部５２ｃが、図１１に示されている、抜け止め部材７６の側面７６ｂに当接する。即ち、ヒンジ部材５２は軸方向に移動することができず、ヒンジ部材が５２が浴室乾燥暖房機本体１２から抜け出すのが禁止される。
【００１８】
以上でパネルカバーはヒンジ部材を介して浴室乾燥暖房機本体に連結された。以下においては、パネルカバー１８を、浴室乾燥暖房機本体１２に固定する作業手順について説明する。
パネルカバー１８が浴室乾燥暖房機本体１２に連結された状態では、図１３に示されているように、パネルカバー１８は、ヒンジ部材５２を介して浴室乾燥暖房機本体１２から回転可能に吊り下げられる。また、図１２に示されているように、フランジ１７のサポート７２と反対側のスクリュウ穴１７ａに、スクリュウ８３を途中までネジ込んでおく。
まず、パネルカバー１８を浴室乾燥暖房機本体１２に仮止めする。パネルカバー１８を浴室乾燥暖房機本体１２に仮止めするには、図１４に示されているように、パネルカバー１８をヒンジ部材５２を中心に回転させて、浴室乾燥暖房機１２の下面とほぼ平行な位置に配置する。次に、ヒンジ部材５２を矢印８９方向に回転させると、パネルカバー１８は、浴室乾燥暖房機本体１２の下面と平行方向に揺動され図１５に示す状態となる。このパネルカバー１８が、浴室乾燥暖房機１２の下面と平行方向に揺動する過程において、パネルカバー１８に形成されている仮止め部材６２の仮止め溝６６に、スクリュウ８３の軸部８３ａを滑り込ませ、スクリュウ頭８３ｂを係合させる。この状態が図１６に示されており、パネルカバー１８は仮止めされたことになり、手を離しても、パネルカバー１８はこの位置に保持される。さらに、取付穴６３を介して２本のスクリュウ８３を途中までネジ込む。
最後に、取付穴６３と仮止め部材６２の穴６８にドライバを挿入して４本のスクリュウ８３をネジ込み、パネルカバー１８を浴室乾燥暖房機本体１２に完全に固定する。
【００１９】
以上、本発明の実施例の浴室乾燥暖房機について説明したが、本発明は上記の実施例になんら限定されるものではなく、本発明は当業者の知識に基づいて種々の変更、改良を施した形態で実施することができる。
【００２０】
例えば、図１７に示されているように、パネルカバー１８の仮止め部材６２には、仮止め溝６６の両側にストッパ部６９を形成してもよい。このストッパ部６９は、スクリュウ８３のスクリュウ頭８３ｂが仮止め溝６６に係合した状態では、スクリュウ頭８３ｂが抜け出すのを防止する。この状態から、仮止め部材６２とスクリュウ頭８３ｂの係合を解除するためには、パネルカバー１８を上方に持ち上げ、さらに水平方向に移動し、ストッパ部６９にスクリュウ頭８３ｂを乗り越えさせる必要がある。従って、この構成によれば、パネルカバー１８をより確実に仮止めすることができる。
【００２１】
上述した実施例では、パネルカバー１８の仮止め部材６２は２個であるが、仮止めが実現できるのであれば何個でもよい。
例えば、図１８に示されているように、仮止め部材６２を４個とし、より確実にパネルカバー１８を仮止めできるようにしてもよい。なお、この構成の場合には、スクリュウ頭８３ａが仮止め溝６６に係合できるように、ヒンジ部材５２に近い方の仮止め部材６２の軸方向長さ（高さ）を大きく形成する必要がある。
【００２２】
例えば、ヒンジ部材５２の取り付けを上述した実施例とは逆とし、第１回転軸５２ａを空調機本体１２に、第２回転軸５２ｂをパネルカバー１８に取り付けてもよい。
【図面の簡単な説明】
【図１】本発明の実施例の、浴室乾燥暖房機が浴室に載置された状態を示す斜視図。
【図２】同、浴室乾燥暖房機の側面図。
【図３】同、図２のＩＩＩ−ＩＩＩ線矢視図。
【図４】同、浴室乾燥暖房機の平面図。
【図５】同、パネルカバーの側面図。
【図６】同、パネルカバーの平面図。
【図７】同、仮止め部材の斜視図。
【図８】同、浴室乾燥暖房機とパネルカバーの斜視図（連結前の状態）。
【図９】同、浴室乾燥暖房機とパネルカバーの斜視図（連結された状態）。
【図１０】同、抜け止め部材の断面図。
【図１１】同、図１０のＸＩ−ＸＩ線矢視図。
【図１２】同、天井に装着された浴室乾燥暖房機本体の斜視図。
【図１３】同、パネルカバーが、浴室乾燥暖房機本体から吊り下げられた状態の側面図。
【図１４】同、パネルカバーが、浴室乾燥暖房機本体下部に配置された状態の側面図。
【図１５】同、パネルカバーが仮止め位置に配置された状態の側面図。
【図１６】同、浴室乾燥暖房機本体に仮止め部材が仮止めされている状態の細部を示す断面図。
【図１７】仮止め部材の変形例を示す断面図。
【図１８】同上。
【図１９】従来の技術の空調機の、天井への取り付け状態を示す斜視図。
【符号の説明】
１０：浴室乾燥暖房機
１１：浴室
１２：浴室乾燥暖房機本体
１３：天井の開口部
１５：天井
１６：バスタブ
１７：フランジ、１７ａ：スクリュウ穴
１８：パネルカバー
３１：給湯器
３２：供給配管
３３：排出配管
３４：信号線
３５：電気配線
３６：温水供給口
３７：換気ダクト
３８：吸入口
４２：吹出口
４４：ルーバー
５２：ヒンジ部材、５２ａ：第１回転軸、５２ｂ：第２回転軸、５２ｃ：ヒンジ中間部
５８：ヒンジサポート金具
５９：スクリュウ
６２：仮止め部材
６３：取付穴
６４：パネルカバーの基盤面
６６：仮止め溝
６８：パネルカバー基盤面の穴
６９：ストッパ部
７２：サポート
７３：サポートの軸穴
７６：抜け止め部材、７６ａ：抜け止め部材の切り欠き部、７６ｂ：抜け止め部材の側面
８３：スクリュウ、８３ａ：スクリュウの軸、８３ｂ：スクリュウ頭
８６、８７：ヒンジ部材の取り付け方向を示す矢印
８９：ヒンジ部材の回転方向を示す矢印
１１０：空調機
１１２：空調機本体
１１４：天井
１１６：フランジ
１１８：パネルカバー
１２２：スクリュウ穴
１２４：取付穴
１２６：スクリュウ
【図１】
0003588584.tif 000002
【図２】
0003588584.tif 000003
【図３】
0003588584.tif 000004
【図４】
0003588584.tif 000005
【図５】
0003588584.tif 000006
【図６】
0003588584.tif 000007
【図７】
0003588584.tif 000008
【図８】
0003588584.tif 000009
【図９】
0003588584.tif 000010
【図１０】
0003588584.tif 000011
【図１１】
0003588584.tif 000012
【図１２】
0003588584.tif 000013
【図１３】
0003588584.tif 000014
【図１４】
0003588584.tif 000015
【図１５】
0003588584.tif 000016
【図１６】
0003588584.tif 000017
【図１７】
0003588584.tif 000018
【図１８】
0003588584.tif 000019
【図１９】
0003588584.tif 000020